(57)【要約】【課題】  容積が拡大できる冷蔵庫および冷凍庫を提供する。【解決手段】  本発明に関わる冷蔵庫１は、貯蔵物を収容する収容容器４ｂとともに引き出される引き出しドア４ａと、引き出しドア４ａの冷蔵庫１の本体１Ｈ外への引き出し動作や当該本体１Ｈ内への押入れ収納動作に際して本体１Ｈに対して案内される摺動部９ｓと、摺動部９ｓを一体に保持する摺動部材保持部８ａ、８ｃおよび収容容器４ｂを支持する容器保持部８ｂを有し、引き出しドア４ａと一体に形成される支持枠材７とを備え、摺動部９ｓの鉛直方向の大きさｓ１が、摺動部材保持部８ａ、８ｃの鉛直方向の大きさｓ２より大きくしている。【選択図】  図７
2013242076.tif 000002
【特許請求の範囲】
【請求項１】
貯蔵物を収容する収容容器とともに引き出される引き出しドアと、
前記引き出しドアの冷蔵庫の本体外への引き出し動作や当該本体内への押入れ収納動作に際して前記本体に対して案内される摺動部と、
該摺動部を一体に保持する摺動部材保持部および前記収容容器を支持する容器保持部を有し、前記引き出しドアと一体に形成される支持枠材とを
備え、
前記摺動部の鉛直方向の大きさが、前記摺動部材保持部の鉛直方向の大きさより大きい
ことを特徴とする冷蔵庫。
【請求項２】
請求項１に記載の冷蔵庫において、
前記冷蔵庫の前面視で、前記摺動部の左右方向の幅が、前記摺動部材保持部の左右方向の幅よりも大きい
ことを特徴とする冷蔵庫。
【請求項３】
請求項１又は請求項２に記載の冷蔵庫において、
前記冷蔵庫の本体側に、前記引き出しドアの前記冷蔵庫の本体外への引き出し動作や当該本体内への押入れ収納動作に際して、前記摺動部が嵌入されて摺動し前記冷蔵庫の本体に対して案内する凹状の摺動部材受け部を有するレール状案内部を備え、
前記レール状案内部の鉛直方向の大きさが、前記摺動部の鉛直方向の大きさよりも大きい
ことを特徴とする冷蔵庫。
【請求項４】
請求項１から請求項３に記載の冷蔵庫において、
前記冷蔵庫の前面視で、前記レール状案内部の左右方向の幅が、前記摺動部材保持部の左右方向の幅よりも大きい
ことを特徴とする冷蔵庫。
【請求項５】
請求項１から請求項４に記載の冷蔵庫において、
前記冷蔵庫の前面視で、前記レール状案内部の左右方向の幅が、前記摺動部の左右方向の幅よりも大きい
ことを特徴とする冷蔵庫。
【請求項６】
請求項１から請求項５の何れか一項に記載の冷蔵庫において、
前記容器保持部が鉛直方向の面に対して内方且つ下方に向け傾斜して形成されるとともに、
前記収納容器における前記容器保持部との対向箇所が、前記容器保持部に沿った角度で傾斜して形成される
ことを特徴とする冷蔵庫。
【請求項７】
貯蔵室から、貯蔵物を収容する収容容器とともに引き出される引き出しドアと、
前記引き出しドアの冷凍庫の本体外への引き出し動作や当該本体内への押入れ収納動作に際して前記本体に対して案内される摺動部と、
該摺動部を一体に保持する摺動部材保持部および前記収容容器を支持する容器保持部を有し、前記引き出しドアと一体に形成される支持枠材と、
前記貯蔵室の側壁に設けられ前記引き出しドアの前記冷蔵庫の本体外への引き出し動作や当該本体内への押入れ収納動作に際して、前記摺動部が嵌入されて摺動し当該本体に対して案内する凹状の摺動部材受け部を有するレール状案内部とを備え、
前記レール状案内部の鉛直方向の大きさは、前記摺動部の鉛直方向の大きさより大きく形成され、かつ、前記摺動部の鉛直方向の大きさは前記摺動部材保持部の鉛直方向の大きさより大きく形成され、
前記冷凍庫の前面視で、前記レール状案内部の左右方向の幅が、前記摺動部材保持部の左右方向の幅および前記摺動部の左右方向の幅よりもそれぞれ大きく形成される
ことを特徴とする冷凍庫。
【請求項８】
請求項７に記載の冷凍庫において、
前記容器保持部が鉛直方向の面に対して内方且つ下方に向け傾斜して形成されるとともに、
前記収納容器における前記容器保持部との対向箇所が、前記保持部に沿った角度で傾斜して形成される
ことを特徴とする冷凍庫。
【発明の詳細な説明】
【技術分野】
【０００１】
本発明は、貯蔵物を冷蔵したり冷凍する冷蔵庫および冷凍庫に関する。
【背景技術】
【０００２】
昨今、社会環境、労働環境の変化などにより、共働きの家庭が増加の傾向にある。そのため、食品をまとめ買いする現象が顕著になりつつある。一方、海外に目を転じると、日本との食習慣の違いから、例えば食品を１週間分まとめ買いする習慣から、広い容積の冷蔵庫や冷凍庫が欲しいというニーズが顕在化している(広い容積が一般的である)。
【０００３】
図１１に、従来の冷蔵庫を前方から目視した図を示す。冷蔵庫１０１は、上から下へ、冷蔵室１０２、製氷・上段冷凍室１０３，１０４、下段冷凍室１０５、野菜室１０６が配設されている。冷蔵室１０２の扉１０２ａ、１０２ｂは、観音開きドアである。
【０００４】
一方、製氷・上段冷凍室１０３，１０４、下段冷凍室１０５、野菜室１０６は、それぞれ扉１０３ａ，１０４ａ、１０５ａ、１０６ａとともに、食品などの貯蔵物を収容する容器がそれぞれ引き出される引き出し式のドアである。
【０００５】
引き出し式の製氷・上段冷凍室１０３，１０４、下段冷凍室１０５、野菜室１０６のそれぞれの扉１０３ａ，１０４ａ、１０５ａ、１０６ａには、ユーザが引き出し時に把持するための取っ手１０３ｔ，１０４ｔ，１０５ｔ、１０６ｔが設けられている。
【０００６】
ユーザが、上段冷凍室１０４の取っ手１０４ｔを把持して、手前側に引き出すことにより、上段冷凍室１０４の上段冷凍容器１０４ｙ(図１２参照)が扉１０４ａとともに手前(図１１の紙面手前側)に引き出される。
【０００７】
図１２に、従来の冷蔵庫の上段冷凍室の右内部を前方から目視した断面図を示す。
上段冷凍容器１０４ｙは、左右両側の下側部１０４ｙ１が、扉１０４ａと一体に構成される鋼板製の支持枠１０４ｓの左右両側の下支持部１０４ｓ１でそれぞれ支持される構成である。なお、図１２では、右側の上段冷凍容器１０４ｙの下側部１０４ｙ１、支持枠１０４ｓの下支持部１０４ｓ１を図示しており、左側は図示していない。
【０００８】
支持枠１０４ｓは、前後方向(図１１、図１２の紙面垂直方向)に延在する形状を有し、水平方向に形成され上段冷凍容器１０４ｙを下方から支持する下支持部１０４ｓ１と、鉛直方向に成形され上段冷凍容器１０４ｙを内方に向けて支持する横支持部１０４ｓ２とを有している。
【０００９】
そして、扉１０４ａと一体に構成される略車輪様の不動輪の摺動部１０４ｄが、冷蔵庫１０１の本体１０１ｈに形成され前後方向に延在する凹状のレール１０１ｈ１内を前後方向に摺動し案内され、上段冷凍容器１０４ｙが扉１０４ａとともに庫外に引き出されたり、庫内に押し戻される構成である。
【００１０】
なお、本願に係わる文献公知発明として、特許文献１〜３がある。
【先行技術文献】
【特許文献】
【００１１】
【特許文献１】特開平０８−２９６９５７号公報
【特許文献２】特開平１１−６６８３号公報
【特許文献３】特開２００５−８３６８０号公報
【発明の概要】
【発明が解決しようとする課題】
【００１２】
ところで、従来の冷蔵庫１０１では、上段冷凍容器１０４ｙを支持し一体に移動する支持枠１０４ｓの横支持部１０４ｓ２が、上段冷凍室１０４の内面１０４ｎに衝突しないように、隙間(クリアランス)ｃ１を設けている。そのため、上段冷凍容器１０４ｙの側板１０４ｙ２は、側方での位置が制限を受け、内容積が制限されている。そのため、上段冷凍容器１０４ｙの外側方にはデッドスペースｄ３が存在する。
【００１３】
加えて、上段冷凍容器１０４ｙの左右の下側部１０４ｙ１が、支持枠１０４ｓの下支持部１０４ｓ１に載置される構成である。そのため、上段冷凍容器１０４ｙを箱状の形状とすると、上段冷凍容器１０４ｙの底板１０４ｙ３が、支持枠１０４ｓの下支持部１０４ｓ１の直上の位置に制限されている。そのため、上段冷凍容器１０４ｙの下方にデッドスペースｄ４が存在する。
【００１４】
なお、上段冷凍容器１０４ｙの底板１０４ｙ３を、支持枠１０４ｓの下支持部１０４ｓ１の下方まで形成した場合、上段冷凍容器１０４ｙが段付き形状となり、実用に耐えない。このように、従来の冷蔵庫１０１では、上段冷凍室１０４にデッドスペースｄ３、ｄ４が存在し、上段冷凍室１０４内の空間が制限を受け、上段冷凍室１０４の容積拡大の障害となっている。
【００１５】
なお、冷蔵庫１０１の他の引き出し式のドア(１０３ａ，１０５ａ、１０６ａ)をもつ貯蔵室(１０３，１０５、１０６)も同様な傾向にある。同様に、容器とともに引き出される引き出しドアを有する冷凍庫も容積拡大が阻害されている。
【００１６】
本発明は上記実状に鑑み、容積が拡大できる冷蔵庫および冷凍庫の提供を目的とする。
【課題を解決するための手段】
【００１７】
上記目的を達成すべく、第１の本発明に関わる冷蔵庫は、貯蔵物を収容する収容容器とともに引き出される引き出しドアと、前記引き出しドアの冷蔵庫の本体外への引き出し動作や当該本体内への押入れ収納動作に際して前記本体に対して案内される摺動部と、該摺動部を一体に保持する摺動部材保持部および前記収容容器を支持する容器保持部を有し、前記引き出しドアと一体に形成される支持枠材とを備え、前記摺動部の鉛直方向の大きさが、前記摺動部材保持部の鉛直方向の大きさより大きい。
【００１８】
第２の本発明に関わる冷凍庫は、貯蔵室から、貯蔵物を収容する収容容器とともに引き出される引き出しドアと、前記引き出しドアの庫外への引き出し動作や庫内への押入れ収納動作に際して前記本体に対して案内される摺動部と、該摺動部を一体に保持する摺動部材保持部および前記収容容器を支持する容器保持部を有し、前記引き出しドアと一体に形成される支持枠材と、前記貯蔵室の側壁に設けられ前記引き出しドアの前記冷蔵庫の本体外への引き出し動作や当該本体内への押入れ収納動作に際して、前記摺動部が嵌入されて摺動し当該本体に対して案内する凹状の摺動部材受け部を有するレール状案内部とを備え、前記レール状案内部の鉛直方向の大きさは、前記摺動部の鉛直方向の大きさより大きく形成され、かつ、前記摺動部の鉛直方向の大きさは前記摺動部材保持部の鉛直方向の大きさより大きく形成され、前記冷凍庫の前面視で、前記レール状案内部の左右方向の幅が、前記摺動部材保持部の左右方向の幅および前記摺動部の左右方向の幅よりもそれぞれ大きく形成されている。
【発明の効果】
【００１９】
本発明によれば、容積が拡大できる冷蔵庫および冷凍庫を実現できる。
【図面の簡単な説明】
【００２０】
【図１】本発明に関わる実施形態１の冷蔵庫を示す正面図である。
【図２】実施形態１の冷蔵庫の庫内の構成を表す図１のＡ−Ａ線断面図である。
【図３】実施形態１の冷蔵庫の各扉を開放した状態を示す斜視図である。
【図４】上段冷凍室扉を収納容器とともに外した状態を冷蔵庫前上方から目視した斜視図である。
【図５】実施形態１の冷蔵庫の庫内から引き出した上段冷凍室扉とその収納容器とを有する上段冷凍室扉アッセンブリを左側方から目視した左側面図である。
【図６】冷蔵庫から引き出した上段冷凍室扉と収納容器とを有する上段冷凍室扉アッセンブリを斜め後方から目視した斜視図である。
【図７】冷蔵庫を前方視した場合の上段冷凍室右内部の断面を透視した図である。
【図８】実施形態２の冷蔵庫から引き出した野菜室扉およびその収納容器を有する野菜室扉アッセンブリを斜め後方から目視した斜視図である。
【図９】(ａ)は実施形態２の冷蔵庫を前方視した場合の野菜室右内部の断面を透視した図であり、(ｂ)は実施形態２の変形例の冷蔵庫を前方視した場合の野菜室右内部の断面を透視した図である。
【図１０】実施形態２の変形例１の冷蔵庫を前方視した場合の野菜室右内部の断面を透視した図である。
【図１１】従来の冷蔵庫を前方から目視した図である。
【図１２】従来の冷蔵庫の上段冷凍室の右内部を前方から目視した断面図である。
【発明を実施するための形態】
【００２１】
以下、本発明の実施形態について添付図面を参照して説明する。
＜＜実施形態１＞＞
図１は、本発明に関わる実施形態１の冷蔵庫を示す正面図であり、図２は、実施形態１の冷蔵庫の庫内の構成を表す図１のＡ−Ａ線断面図である。
【００２２】
実施形態１の冷蔵庫１は、その本体部を成す冷蔵庫本体１Ｈに、上方から、冷蔵室２、製氷室３及び上段冷凍室４、下段冷凍室５、および野菜室６が画設されている。なお、製氷室３と上段冷凍室４は左右に並設され、冷蔵室２と下段冷凍室５との間に配置されている。冷蔵室２及び野菜室６は、約３〜５℃の冷蔵温度帯の貯蔵室である。一方、製氷室３，上段冷凍室４及び下段冷凍室５は、約−１８℃の冷凍温度帯の貯蔵室である。
【００２３】
図３は、冷蔵庫の各扉を開放した状態を示す斜視図である。冷蔵室２は、前方側に左右に分割された観音開き（いわゆるフレンチ型）の冷蔵室扉２ａ，２ｂを備えている。冷蔵室扉２ａ，２ｂの冷蔵室２の内側には、図２に示すように、複数の扉ポケット３２が備えられている。また、冷蔵室２は複数の棚３６が設けられており、棚３６により、冷蔵室２は縦方向に複数の貯蔵スペースに区画されている。製氷室３，上段冷凍室４，下段冷凍室５，および野菜室６は、それぞれ引き出し式の製氷室扉３ａ，上段冷凍室扉４ａ，下段冷凍室扉５ａ，および野菜室扉６ａを備えている。
【００２４】
図２に示すように、製氷室３、上段冷凍室４，下段冷凍室５及び野菜室６は、収納容器３ｂ，４ｂ，５ｂ，６ｂがそれぞれ設けられており、それぞれの貯蔵室の前方に備えられた扉(３ａ，４ａ，５ａ、６ａ)と一体に前後方向に移動し出し入れされる。なお、収納容器３ｂ，４ｂ，５ｂ，６ｂは透明または半透明としているが、透明または半透明でなくともよい。
【００２５】
製氷室扉３ａ，上段冷凍室扉４ａ，下段冷凍室扉５ａ及び野菜室扉６ａの前面には、それぞれ各扉(３ａ，４ａ，５ａ、６ａ)を庫外の手前側に引き出す際にユーザ(使用者)に把持される取っ手部３ｔ，４ｔ，５ｔ，６ｔ(図１参照)が設けられている。
【００２６】
ユーザが、製氷室扉３ａ，上段冷凍室扉４ａ，下段冷凍室扉５ａ及び野菜室扉６ａのそれぞれの取っ手部３ｔ，４ｔ，５ｔ，６ｔを把持して手前側に引き出すことにより、図３に示すように、製氷室３、上段冷凍室４、下段冷凍室５及び野菜室６の各収納容器３ｂ，４ｂ，５ｂ，６ｂが、手前側(図２の紙面左側)に引き出される。
【００２７】
また、各扉(２ａ，２ｂ，３ａ，４ａ，５ａ，６ａ)における貯蔵室(２、３、４、５、６)側の面には、各扉の外縁に沿った態様でシール部材（図示せず）が設けられ、各扉の閉鎖時、貯蔵室内への温かい外気の侵入、及び貯蔵室からの冷気の漏出を抑制している。
【００２８】
冷蔵庫本体１Ｈは、各貯蔵室(２、３、４、５、６)に設けた扉(２ａ，２ｂ，３ａ，４ａ，５ａ，６ａ)の開閉状態をそれぞれ検知する扉センサ（図示せず）と、各扉が開放していると判定された状態が所定時間、例えば１分間以上継続された場合、ユーザに警告音で報知するアラーム（図示せず）とを備えている。
【００２９】
また、冷蔵室扉２ｂの前面には、ユーザが、各貯蔵室(２、３、４、５、６)の温度設定などをするための温度設定器２ｃを備えている。
【００３０】
図２に示すように、冷蔵庫本体１Ｈの庫内と庫外とは、冷蔵庫１の外郭を形成する外箱１ａと貯蔵室(２〜６)を形成する内箱１ｂとの間に発泡断熱材（発泡ポリウレタン）を充填して形成される断熱箱体１０により隔てられている(断熱されている)。断熱箱体１０は、充填される発泡断熱材の他に、複数の断熱性が高い真空断熱材(図示せず)を実装している。各扉(２ａ，２ｂ，３ａ，４ａ，５ａ，６ａ)内には、それぞれ発泡断熱材が充填され、断熱性を確保している。
【００３１】
図２に示すように、冷蔵庫本体１Ｈは、冷蔵温度帯の冷蔵室２と、冷凍温度帯の上段冷凍室４及び製氷室３(図１参照)とが、上側断熱仕切壁５１により断熱的に仕切られている。また、冷凍温度帯の下段冷凍室５と冷蔵温度帯の野菜室６とが、下側断熱仕切壁５２により、断熱的に仕切られている。下段冷凍室５の上部には、下段冷凍室５と製氷室３及び上段冷凍室４とを、上下方向に仕切る横仕切部５３を設けている。
【００３２】
図４は、上段冷凍室扉を収納容器とともに外した状態を冷蔵庫前上方から目視した斜視図である。横仕切部５３の上部には、製氷室３と上段冷凍室４との間を左右方向に仕切る縦仕切部５４を設けている。
【００３３】
縦仕切部５４には、上段冷凍室扉４ａに固着される後記の収納容器支持部材７の一方の摺動部９ｓが案内される縦仕切部レール５４ｒが形成されている。縦仕切部レール５４ｒは、一方の摺動部９ｓが案内される摺動部９ｓよりやや大きい寸法の横断面コの字状の凹形状を有し、前後方向に延在している。縦仕切部レール５４ｒは、一方の摺動部９ｓを重力方向に受ける摺動部材受け部５４ｒ１を有する。
【００３４】
縦仕切部５４の縦仕切部レール５４ｒに対向する右側壁１Ｈ２には、収納容器支持部材７の他方の摺動部９ｓが案内される右側壁レールＨ２ｒが形成されている。右側壁レールＨ２ｒは、他方の摺動部９ｓよりやや大きい寸法の横断面コの字状の凹形状を有し前後方向に延在している。右側壁レールＨ２ｒは、他方の摺動部９ｓを重力方向に受ける摺動部材受け部Ｈ２ｓを有する。
【００３５】
右側壁レールＨ２ｒ、縦仕切部レール５４ｒは、それぞれＰＰ(polypropylene：ポロプロピレン)で成形される。図２に示すように、横仕切部５３は、下側断熱仕切壁５２の前面(図２の左側)及び冷蔵庫本体１Ｈの左・右側壁１Ｈ１、１Ｈ２(図１参照)の前面とともに、下段冷凍室扉５ａの庫内側の面に設けたシール部材（図示せず）を受けて、下段冷凍室５と下段冷凍室扉５ａとの間での気体の移動(出入り)を抑制する。
【００３６】
また、製氷室扉３ａ及び上段冷凍室扉４ａの貯蔵室(製氷室３及び上段冷凍室４)側の面に設けたシール部材（図６の符号４ｓ）は、横仕切部５３，縦仕切部５４，上側断熱仕切壁５１及び冷蔵庫本体１Ｈの左右側壁１Ｈ１、１Ｈ２(図１参照)の前面と接することで、製氷室３及び上段冷凍室４と製氷室扉３ａ及び上段冷凍室扉４ａとの間での気体の移動(出入り)をそれぞれ抑制する。
【００３７】
なお、製氷室３，上段冷凍室４及び下段冷凍室５は、何れも冷凍温度帯なので、図２に示す横仕切部５３及び縦仕切部５４の前部は、各扉(製氷室扉３ａ及び上段冷凍室扉４ａ)のシール部材を受けるために、少なくとも冷蔵庫本体１Ｈの前側にあればよい。すなわち、冷凍温度帯の製氷室３及び上段冷凍室４、下段冷凍室５は、同じ冷凍温度帯であるため、各貯蔵室間で気体の移動(出入り)があってもよく、断熱区画しなくてもよい。冷蔵庫１は、貯蔵室(２、３、４、５、６)(図１参照)を冷却するために、不図示の冷凍サイクル(冷却手段)を具備している。
【００３８】
＜上段冷凍室扉４ａと収納容器支持部材７との組み立て構成＞
図５は、実施形態１の冷蔵庫の庫内から引き出した上段冷凍室扉とその収納容器とを有する上段冷凍室扉アッセンブリを左側方から目視した左側面図である。図６は、冷蔵庫から引き出した上段冷凍室扉と収納容器とを有する上段冷凍室扉アッセンブリを斜め後方から目視した斜視図である。
【００３９】
上段冷凍室扉４ａと収納容器４ｂとは、以下で説明する上段冷凍室扉アッセンブリ４ｔＡを構成する。上段冷凍室扉アッセンブリ４ｔＡは、上段冷凍室扉４ａに固着される略コの字状の収納容器支持部材７と、収納容器支持部材７の上に載置される収納容器４ｂとを有する。上段冷凍室扉４ａの後周縁部には、その外縁に沿った態様でシール部材４ｓが設けられている。シール部材４ｓは、弾性および柔軟性を有するゴムで形成され、例えば、シリコーンゴム、ブタジエンゴムなどが使用される。
【００４０】
上段冷凍室扉４ａの後部には、収納容器４ｂを下方から支持する略コの字状の収納容器支持部材７が、十字穴をもつ複数の丸子ネジｎ１で螺設されている(図６参照)。収納容器支持部材７は、防錆処理された鋼板製のプレス成形品の左右の支持枠８、８に、該左右の支持枠８、８に沿った形状をもつ略コの字状の接続部材９が丸子ネジなどで螺設されている。上段冷凍室扉４ａと収納容器支持部材７との結合および左右の支持枠８、８と接続部材９との結合は、螺設以外の方法を採用してもよい。
【００４１】
接続部材９は、樹脂、例えばポリアセタールを用いた射出成形品である。接続部材９は、該左右の支持枠８、８に沿った形状の支持枠保持部９ａ、９ｂと、支持枠保持部９ａ、９ｂを接続する接続部９ｃとを有する略コの字状の形状に成形されている。支持枠保持部９ａ、９ｂは、図６に示す上段冷凍室扉アッセンブリ４ｔＡの左右の中心面に対して対称な形状を有している。
【００４２】
支持枠保持部９ａ、９ｂの後部には、車輪様の形状の所謂不動輪を成す摺動部９ｓが鉛直方向に成形されている。また、摺動部９ｓに接続して、断面係数を高め強度を向上するための補強リブ９ｒが外方に向けて枠状に成形されている。なお、各摺動部９ｓの外周面の中央には、それぞれ凹部９ｓ１が形成され、各摺動部９ｓが案内される縦仕切部レール５４ｒ(図４参照)や右側壁レールＨ２ｒとの間に空気層を形成して、両者の貼り付きを抑制している。
【００４３】
また、摺動部９ｓがＰＯＭ(polyoxymethylene：ポリアセタール)で成形される一方、縦仕切部レール５４ｒ、右側壁レールＨ２ｒがＰＰ(ポロプロピレン)で成形され、両者が別材料で形成されるため、スベリ性が良好である(静・動摩擦係数が低い)。なお、右側壁レールＨ２ｒ、縦仕切部レール５４ｒ、摺動部９ｓの各材質はこれらに限定されないのは勿論であるが、縦仕切部レール５４ｒ、右側壁レールＨ２ｒと摺動部９ｓとは、スベリ性を良好にするため、異種材料を用いることが好ましい。
【００４４】
左右の支持枠８、８は、図６に示す上段冷凍室扉アッセンブリ４ｔＡの左右の中心面に対して対称な形状を有している。そこで、一方の支持枠８について説明し、他方の支持枠８に関する説明は省略する。
【００４５】
図６及び図７に示すように、支持枠８は、冷蔵庫の前後方向に延在して鉛直方向の面を具える第１摺動部材保持部８ａと、第１摺動部材保持部８ａの下縁部から鉛直方向の面に対して内方且つ下方に向け傾斜して形成され収納容器４ｂが上方から載置される容器保持部８ｂと、第１摺動部材保持部８ａの上縁部から外方に折り曲げて形成され前後方向に延在する第２摺動部材保持部８ｃとを有して形成される。
【００４６】
第１摺動部材保持部８ａの前先端は内方に向け曲げ成形された扉固定部８ｄが形成され、扉固定部８ｄには、丸子ネジｎ１が挿通する複数のネジ挿通孔が穿孔されている。
【００４７】
図７は、冷蔵庫を前方視した場合の上段冷凍室右内部の断面を透視した図である。鉛直方向の面に対して内方且つ下方に向け傾斜した容器保持部８ｂに、収納容器４ｂの両側板４ｂ１と底板４ｂ２とを接続する左右の下側部に容器保持部８ｂに沿って内方に傾斜して形成される下側傾斜部４ｂ３が載置され、収納容器４ｂが収納容器支持部材７に下方から支持される。なお、収納容器４ｂは、左右の収納容器支持部材７の第１摺動部材保持部８ａにより左右方向を支持される。
【００４８】
＜右側壁レールＨ２ｒおよび縦仕切部レール５４ｒと収納容器支持部材７との寸法関係＞
図７に示すように、収納容器支持部材７の摺動部９ｓの鉛直方向の寸法ｓ１は、支持枠８の第１摺動部材保持部８ａおよび第２摺動部材保持部８ｃの鉛直方向の寸法ｓ２より、大きく形成されている。そして、摺動部９ｓの左右方向の幅ｓ４が、第１摺動部材保持部８ａおよび第２摺動部材保持部８ｃの左右方向の幅ｓ５よりも大きく形成されている。そして、右側壁１Ｈ２の右側壁レールＨ２ｒの鉛直方向の寸法ｓ３は、収納容器支持部材７の支持枠８の摺動部９ｓの鉛直方向の寸法ｓ１より大きく形成されている。
【００４９】
摺動部９ｓの鉛直方向の寸法ｓ１は、支持枠８の第１摺動部材保持部８ａの鉛直方向寸法ｓ２より大きいため、右側壁１Ｈ２の右側壁レールＨ２ｒの鉛直方向の寸法ｓ３は、支持枠８の第１摺動部材保持部８ａおよび第２摺動部材保持部８ｃの鉛直方向寸法ｓ２より大きい。(ｓ３＞ｓ１＞ｓ２)
これにより、第１摺動部材保持部８ａおよび第２摺動部材保持部８ｃの鉛直方向と左右方向共に、摺動部９ｓに収まるように形成できる。従って、第１摺動部材保持部８ａおよび第２摺動部材保持部８ｃと右側壁レールＨ２ｒとの隙間（クリアランス）を小さくすることができる。その結果、デッドスペースｄ１を小さくでき、収納容器の容積を拡大できる。
【００５０】
また、冷蔵庫１の前面視で、右側壁１Ｈ２の右側壁レールＨ２ｒの左右方向の幅寸法ｓ６が、摺動部９ｓの左右方向の幅寸法ｓ４よりも大きく形成され、第１摺動部材保持部８ａおよび第２摺動部材保持部８ｃの左右方向の幅寸法ｓ５よりも大きく形成されている。これにより、支持枠８の第１摺動部材保持部８ａおよび第２摺動部材保持部８ｃは、右側壁１Ｈ２の右側壁レールＨ２ｒの内部に収容される。従って、第１摺動部材保持部８ａおよび第２摺動部材保持部８ｃと右側壁レールＨ２ｒと収納容器４ｂとの隙間（クリアランス）を小さくすることができる。その結果、デッドスペースｄ１を小さくでき、収納容器４ｂの容積を拡大できる。
【００５１】
そして、支持枠８の容器保持部８ｂは第１摺動部材保持部８ａの下縁部から鉛直方向の面に対して内方且つ下方に向け傾斜して形成されるため、上段冷凍室４の内側壁面４ｎが支持枠８の容器保持部８ｂに当接または接触することが抑制される。そのため、収納容器４ｂの底板４ｂ２と上段冷凍室４の底面との間のデッドスペースｄ２を減少でき、収納容器４ｂの鉛直方向の容積を拡大できる。
【００５２】
同様に、図４に示す縦仕切部５４の縦仕切部レール５４ｒの鉛直方向の寸法ｓ７は、収納容器支持部材７の支持枠８の摺動部９ｓの鉛直方向の寸法ｓ１より大きく形成されている。摺動部９ｓの鉛直方向の寸法ｓ１は、支持枠８の第１摺動部材保持部８ａおよび第２摺動部材保持部８ｃの鉛直方向寸法ｓ２より大きいため、縦仕切部５４の縦仕切部レール５４ｒの鉛直方向の寸法ｓ７は、支持枠８の第１摺動部材保持部８ａおよび第２摺動部材保持部８ｃの鉛直方向寸法ｓ２より大きい。(ｓ７＞ｓ１＞ｓ２)
また、冷蔵庫１の前面視で、縦仕切部５４の縦仕切部レール５４ｒの左右方向の幅寸法ｓ８が、摺動部９ｓの左右方向の幅寸法ｓ４よりも大きく形成され、かつ、第１摺動部材保持部８ａおよび第２摺動部材保持部８ｃの左右方向の幅寸法ｓ５よりも大きく形成されている。
【００５３】
これにより、図７と同様に、支持枠８の第１摺動部材保持部８ａおよび第２摺動部材保持部８ｃは、縦仕切部５４の縦仕切部レール５４ｒの内部に収容される。従って、第１摺動部材保持部８ａおよび第２摺動部材保持部８ｃと右側壁レールＨ２ｒと収納容器４ｂとの隙間（クリアランス）を小さくすることができる。その結果、デッドスペースを小さくでき、収納容器４ｂの容積を拡大できる。
【００５４】
そして、支持枠８の容器保持部８ｂは第１摺動部材保持部８ａの下縁部から鉛直方向の面に対して内方に向け傾斜して形成されるため、上段冷凍室４の縦仕切部５４が支持枠８の容器保持部８ｂに当接または接触することが抑制される。そのため、収納容器４ｂの底板４ｂ２と上段冷凍室４の底面との間のデッドスペースｄ２を減少でき、収納容器４ｂの鉛直方向の容積を拡大できる。
【００５５】
＜上段冷凍室扉アッセンブリ４ｔＡの冷蔵庫１の本体１Ｈ１への組み付け＞
図６に示す上段冷凍室扉アッセンブリ４ｔＡの組み立ては、まず、接続部材９の支持枠保持部９ａ、９ｂにそれぞれ、左右の支持枠８、８が螺設されて、略コ字状の収納容器支持部材７が形成される。そして、複数の丸子ネジｎ１を、略コ字状の収納容器支持部材７の左右の支持枠８、８の扉固定部８ｄのネジ挿通孔にそれぞれ挿通させて、上段冷凍室扉４ａの後部に螺着することで、略コ字状の収納容器支持部材７を上段冷凍室扉４ａの後部に取着する。
【００５６】
続いて、収納容器支持部材７の左右の支持枠８の容器保持部８ｂの上に、収納容器４ｂの左右の下側部の下側傾斜部４ｂ３を載置して、収納容器４ｂを収納容器支持部材７で支持して、上段冷凍室扉アッセンブリ４ｔＡが完成する。上段冷凍室扉アッセンブリ４ｔＡの冷蔵庫１の庫内への収納は、以下のように行われる。
【００５７】
ユーザは、上段冷凍室扉４ａの取っ手部４ｔと、上段冷凍室扉アッセンブリ４ｔＡの下部を把持して、上段冷凍室扉アッセンブリ４ｔＡの左右の摺動部９ｓ(図６参照)をそれぞれ、図４に示す縦仕切部５４の縦仕切部レール５４ｒと、右側壁１Ｈ２の右側壁レールＨ２ｒとに嵌入して、上段冷凍室扉アッセンブリ４ｔＡを上段冷凍室４内に嵌入する。
【００５８】
そして、上段冷凍室扉アッセンブリ４ｔＡの取っ手部４ｔを把持して、図３に示すように、上段冷凍室扉アッセンブリ４ｔを上段冷凍室４内に押し入れ、図１に示す冷蔵庫１の状態となる(図２、図７参照)。
【００５９】
一方、ユーザが、図１に示す冷蔵庫１から、上段冷凍室扉４ａを有する上段冷凍室扉アッセンブリ４ｔＡを引き出す場合には、上段冷凍室扉４ａの取っ手４ｔを把持して、図３に示すように、手前に引き出すことにより、上段冷凍室扉４ａとともに収納容器４ｂを冷蔵庫１の外に引き出すことができる(図３、図４、図６参照)。
【００６０】
上記構成によれば、図７に示すように、収納容器支持部材７の摺動部９ｓの鉛直方向の寸法ｓ１が、支持枠８の第１摺動部材保持部８ａおよび第２摺動部材保持部８ｃの鉛直方向の寸法ｓ２より大きく形成される。
そして、右側壁１Ｈ２の右側壁レールＨ２ｒの鉛直方向の寸法ｓ３は、収納容器支持部材７の摺動部９ｓの鉛直方向の寸法ｓ１より大きい。
【００６１】
さらに、冷蔵庫１の前面視で、右側壁１Ｈ２の右側壁レールＨ２ｒの左右方向の幅寸法ｓ６が、摺動部９ｓの左右方向の幅寸法ｓ４よりも大きく形成され、かつ、第１摺動部材保持部８ａおよび第２摺動部材保持部８ｃの左右方向の幅寸法ｓ５よりも大きく形成されている。
【００６２】
また、支持枠８の容器保持部８ｂは第１摺動部材保持部８ａの下縁部から鉛直方向の面に対して内方且つ下方に向け傾斜して形成される。そのため、支持枠８が上段冷凍室４の内側壁面４ｎに当接または接触することが抑制される。そのため、収納容器４ｂの側板４ｂ１を可及的に上段冷凍室４の内側壁面４ｎに近づけて構成できる。
【００６３】
従って、収納容器４ｂと上段冷凍室４の内側壁面４ｎとの間の隙間のデッドスペースｄ１を、収納容器４ｂの上段冷凍室４に対する出し入れに必要なクリアランスに減少でき、収納容器４ｂの左右方向の容積を横方向に拡大できる。
【００６４】
同様に、図４に示す縦仕切部５４の縦仕切部レール５４ｒの鉛直方向の寸法ｓ７は、収納容器支持部材７の摺動部９ｓの鉛直方向の寸法ｓ１より大きく形成される。さらに、冷蔵庫１の前面視で、縦仕切部５４の縦仕切部レール５４ｒの左右方向の幅寸法ｓ８が、摺動部９ｓの左右方向の幅寸法ｓ４よりも大きく形成され、かつ、第１摺動部材保持部８ａおよび第２摺動部材保持部８ｃの左右方向の幅寸法ｓ５よりも大きく形成されている。
【００６５】
そして、支持枠８の容器保持部８ｂは第１摺動部材保持部８ａの下縁部から鉛直方向の面に対して内方且つ下方に向け傾斜して形成される。そのため、支持枠８が縦仕切部５４に当接または接触することが抑制される。そのため、収納容器４ｂの側板４ｂ１を縦仕切部５４に近づけて構成できる。従って、収納容器４ｂと縦仕切部５４との間のデッドスペース(図示せず)が可及的に減少でき、収納容器４ｂの左右方向の容積を横方向に拡大できる。
【００６６】
また、図７に示すように、支持枠８の容器保持部８ｂが鉛直方向の面に対して内方且つ下方に向け傾斜して形成され、かつ、収納容器４ｂの側板４ｂ１と底板４ｂ２とを接続する下側傾斜部４ｂ３が容器保持部８ｂに沿って内方に向け傾斜して形成されるため、段差を生ずることなく、収納容器４ｂの底板４ｂ２を上段冷凍室４の底面に近づけて構成できる。そのため、収納容器４ｂの底板４ｂ２と上段冷凍室４の底面との間のデッドスペースｄ２を可及的に減少でき、収納容器４ｂの鉛直方向の容積を拡大できる。従って、引き出し式の扉を有する貯蔵室である上段冷凍室４の内容量(内容積)を拡大することが可能である。
【００６７】
或いは、収納容器４ｂと右側壁１Ｈ２との間の空間が可及的に少なくできるので、右側壁１Ｈ２内の断熱材の量を増加することが可能である。さらに、収納容器４ｂの底板４ｂ２と側板４ｂ１との間を下側傾斜部４ｂ３で傾斜して形成したので、凹部が形成されず、ユーザによる掃除が容易であり、掃除性が良好である。
【００６８】
加えて、支持枠８の容器保持部８ｂが内方且つ下方に向けて傾斜するとともに、収納容器４ｂの下側傾斜部４ｂ３が容器保持部８ｂに沿って内方に向けて傾斜しているので、両者がすり鉢状に形成され、収納容器４ｂが上段冷凍室４のセンタに納まり易い(位置決めし易い)。
【００６９】
また、図７に示すように、支持枠８の摺動部９ｓの鉛直方向寸法ｓ１が左右方向寸法ｓ４に対して相対的に長くなるので、摺動部９ｓの断面係数が増加する。そのため、摺動部９ｓが摺動部材受け部５４ｒ１、Ｈ２ｓ(図４参照)より受ける曲げ荷重に対しての摺動部９ｓの強度が向上する。つまり、支持枠８の摺動部９ｓの左右方向をウデの長さとするモーメントに対する強度が向上する。
【００７０】
従って、支持枠８の摺動部９ｓの左右方向寸法ｓ４、第１摺動部材保持部８ａおよび第２摺動部材保持部８ｃの左右方向の幅寸法ｓ５をより短くして、収納容器４ｂを左右方向に拡大し更なる内容積の増加を図ることができる。
【００７１】
或いは、支持枠８の摺動部９ｓの左右方向寸法ｓ４をより短くしながらも、収納容器４ｂの左右方向の寸法を変えず、右側壁１Ｈ２の厚み寸法を増加させ、断熱材をさらに多く充填できる。また、摺動部９ｓの左右方向寸法ｓ４をより短くすることで、摺動部９ｓの厚さ方向長さをウデの長さとするモーメントを減少させることが可能である。従って、引き出しドアを有する冷蔵庫の容積を拡大できる。
【００７２】
＜＜実施形態２＞＞
実施形態２は、実施形態１で説明した構成を、野菜室６に適用したものである。
図８は、実施形態２の冷蔵庫から引き出した野菜室扉およびその収納容器を有する野菜室扉アッセンブリを斜め後方から目視した斜視図である。野菜室扉アッセンブリ６ｔＡの構成は、実施形態１の図５、図６に示す上段冷凍室扉アッセンブリ４ｔＡと同様な構成である。
【００７３】
野菜室扉アッセンブリ６ｔＡは、野菜室扉６ａに固着される略コの字状の収納容器支持部材２７と、収納容器支持部材２７の上に載置される収納容器６ｂとを具える。野菜室扉６ａの後周縁部には、その外縁に沿った態様でシール部材６ｓが設けられている。シール部材６ｓは、弾性および柔軟性を有するゴムで形成される。野菜室扉６ａの後部には、収納容器６ｂを下方から支持する略コの字状の収納容器支持部材２７が、十字穴をもつ複数の丸子ネジｎ２で螺設されている。
【００７４】
収納容器支持部材２７は、実施形態１の収納容器支持部材７と同様な構成であるから、収納容器支持部材７の左右の支持枠８、８、接続部材９の符号を２０番台の符号で示し、詳細な説明は省略する。また、野菜室扉６ａと収納容器支持部材２７とのアッセンブリも同様に行われるので詳細な説明は省略する。
【００７５】
図９(ａ)は、実施形態２の冷蔵庫を前方視した場合の野菜室右内部の断面を透視した図であり、図９(ｂ)は、実施形態２の変形例の冷蔵庫を前方視した場合の野菜室右内部の断面を透視した図である。
【００７６】
図９(ａ)に示すように、収納容器支持部材２７の摺動部２９ｓの鉛直方向の寸法ｓ２１は、支持枠２８の第１摺動部材保持部２８ａおよび第２摺動部材保持部２８ｃの鉛直方向の寸法ｓ２２より、大きく形成されている。
【００７７】
そして、右側壁１Ｈ２の右側壁レールＨ２２ｒの鉛直方向の寸法ｓ２３は、収納容器支持部材２７の摺動部２９ｓの鉛直方向の寸法ｓ２１より大きく形成されている。これにより、摺動部２９ｓの鉛直方向の寸法ｓ２１は、支持枠２８の第１摺動部材保持部２８ａおよび第２摺動部材保持部２８ｃの鉛直方向寸法ｓ２２より大きいことから、右側壁１Ｈ２の右側壁レールＨ２２ｒの鉛直方向の寸法ｓ２３は、支持枠２８の第１摺動部材保持部２８ａおよび第２摺動部材保持部２８ｃの鉛直方向寸法ｓ２２より大きい。
【００７８】
さらに、冷蔵庫１の前面視で、右側壁１Ｈ２の右側壁レールＨ２２ｒの左右方向の幅寸法ｓ２６が、摺動部２９ｓの左右方向の幅寸法ｓ２４よりも大きく形成され、かつ、第１摺動部材保持部２８ａおよび第２摺動部材保持部２８ｃの左右方向の幅寸法ｓ２５よりも大きく形成されている。また、支持枠２８の容器保持部２８ｂは第１摺動部材保持部２８ａの下縁部から鉛直方向の面に対して鋭角で内方且つ下方に傾斜して形成されるため、野菜室６の内側壁面６ｎが支持枠２８の容器保持部２８ｂに当接または接触することが抑制される。
【００７９】
同様に、左側壁１Ｈ１にも、右側壁レールＨ２２ｒと同様な構成の左側壁レールが形成されている。一方、野菜室６の収納容器６ｂの左右の側板６ｂ１には、収納容器支持部材２７の左右の容器保持部２８ｂに下方から支持される傾斜部６ｂ３が形成され、収納容器６ｂが収納容器支持部材２７により、左右で保持されている。収納容器６ｂの左右の傾斜部６ｂ３の下方は傾斜部６ｂ３の下縁部に接続して下鉛直部６ｂ４が鉛直方向に延在して形成されている。
【００８０】
これにより、収納容器支持部材２７の第１・第２摺動部材保持部２８ａ、２８ｃが右側壁１Ｈ２の右側壁レールＨ２２ｒ内に収納されることから、収納容器６ｂの側板６ｂ１は、野菜室６の左右の内壁面６ｎとの間に、収納容器６ｂを有する野菜室扉アッセンブリ６ｔＡの出し入れに必要な空隙ｄ２１を有して、野菜室６の左右の内壁面６ｎに可及的に近接して配置できる。そのため、収納容器６ｂの側板６ｂ１の上側部６ｂ２も、野菜室６の左右の内壁面６ｎに近接して配置できる。
【００８１】
実施形態２によれば、野菜室６においても、実施形態１と同様な作用効果を奏する。なお、図９(ｂ)に示すように、実施形態２の収納容器支持部材２７の左右の容器保持部２８ｂを内方に向け略直角に形成してもよい。これに伴い、収納容器６ｂの左右の傾斜部６ｂ３は、略直角に形成されることとなる。
【００８２】
＜＜実施形態２の変形例１＞＞
図１０は、実施形態２の変形例１の冷蔵庫を前方視した場合の野菜室右内部の断面を透視した図である。変形例１では、収納容器６ｂの左右の傾斜部６ｂ３の下縁部に接続される下鉛直部６ｂ５を、野菜室６の内側壁面６ｎとの間に、収納容器６ｂを有する野菜室扉アッセンブリ６ｔＡの出し入れに必要な空隙ｄ２２を有して、野菜室６の内側壁面６ｎに近接して形成したものである。
【００８３】
変形例１によれば、野菜室６の収納容器６ｂの左右の下鉛直部６ｂ５を野菜室６の内側壁面６ｎに近接して形成したので、野菜室６の内容量をさらに増加できる。なお、変形例１においても、図９(ｂ)に示すように、収納容器６ｂの左右の傾斜部６ｂ３を略直角に形成し、収納容器６ｂの左右の傾斜部６ｂ３を略直角に形成してもよい。
【００８４】
＜＜その他の実施形態＞＞
なお、前記実施形態では、冷蔵室、冷凍室、野菜室がある冷蔵庫１を例示して説明したが、扉とともに収納容器が引き出される引き出し式の扉を有すれば、冷蔵室のみの冷蔵庫でもよい。また、扉とともに収納容器が引き出される引き出し式の扉をもつ冷凍室から成る冷凍庫にも、本発明は、有効に幅広く適用可能である。冷凍庫に適用すれば、引き出しドアを有する冷凍庫の容積を拡大できる。
【００８５】
以上、本発明の種々の実施形態を述べたが、その説明は典型的であることを意図している。従って、本発明の範囲内で様々な修正と変更が可能である。すなわち、本発明は発明の趣旨を変更しない範囲において適宜、任意に変更可能である。
【符号の説明】
【００８６】
１      冷蔵庫
１Ｈ    冷蔵庫本体
１Ｈ１  左側壁(貯蔵室の側壁)
１Ｈ２  右側壁(貯蔵室の側壁)
４      上段冷凍室(貯蔵室)
４ａ    上段冷凍室扉(引き出しドア)
４ｂ、６ｂ  収納容器(収納ケース)
４ｂ３  下側傾斜部(収納容器における前記容器保持部との対向箇所)
６      野菜室(貯蔵室)
６ａ    野菜室扉(引き出しドア)
７      収納容器支持部材(支持枠材)
８ａ    第１摺動部材保持部(摺動部材保持部)
８ｂ    容器保持部
８ｃ    第２摺動部材保持部(摺動部材保持部)
９ｓ    摺動部
５４    縦仕切部(貯蔵室の側壁)
５４ｒ  縦仕切部レール(レール状案内部)
５４ｒ１  摺動部材受け部
Ｈ２ｒ、Ｈ２２ｒ  右側壁レール(レール状案内部)
Ｈ２ｓ  摺動部材受け部
ｓ１    摺動部の鉛直方向の寸法(摺動部の鉛直方向の大きさ)
ｓ２    第１・第２摺動部材保持部の鉛直方向の寸法(摺動部材保持部の鉛直方向の大きさ)
ｓ３    右側壁レールの鉛直方向の寸法(レール状案内部の鉛直方向の大きさ)
ｓ５    第１摺動部材保持部および第２摺動部材保持部の水平方向における左右方向の幅寸法(摺動部材保持部の水平方向における左右方向の幅寸法)
ｓ６    右側壁レールの水平方向における左右方向の幅寸法(レール状案内部の水平方向における左右方向の幅寸法)
【図１】
2013242076.tif 000003
【図２】
2013242076.tif 000004
【図３】
2013242076.tif 000005
【図４】
2013242076.tif 000006
【図５】
2013242076.tif 000007
【図６】
2013242076.tif 000008
【図７】
2013242076.tif 000009
【図８】
2013242076.tif 000010
【図９】
2013242076.tif 000011
【図１０】
2013242076.tif 000012
【図１１】
2013242076.tif 000013
【図１２】
2013242076.tif 000014